(57)【要約】【課題】制御用機器の取り替え作業の効率および正確性を向上させることができる配線用架台を提供する。【解決手段】配線用架台１０は、電気の供給を制御する制御用機器１１１が配置される配置基板１１と、この配置基板１１に対して、制御用機器１１１を配置する空間を空けて対面可能に配設され、貫通端子台１２Ａが貫通して設けられた端子台パネル１２と、この端子台パネル１２を配置基板１１に対して配設する支持部材と、貫通端子台１２Ａを識別するための識別表示１４とを備えている。【選択図】図２
0003163581.tif 000002
【実用新案登録請求の範囲】
【請求項１】
電気の供給を制御する制御用機器が配置される配置基板と、
この配置基板に対して、前記制御用機器を配置する空間を空けて対面可能に配設され、貫通端子台が貫通して設けられた端子台パネルと、
この端子台パネルを前記配置基板に対して配設する支持部材と、
前記貫通端子台を識別するための識別表示と
を備えたことを特徴とする配線用架台。
【請求項２】
前記端子台パネルは、一端側を軸として、他端側が回動可能とされており、他端側を回動させて、前記制御用機器が配置される空間を覆った状態と、前記制御用機器が配置される空間を開放した状態とで変化させることができることを特徴とする請求項１記載の配線用架台。
【請求項３】
前記貫通端子台は、前記配置基板の側に、前記制御用機器に対して接続された配線が接続されることを特徴とする請求項１または請求項２に記載の配線用架台。
【考案の詳細な説明】
【技術分野】
【０００１】
本考案は、制御盤などの内部に組み込まれている制御用機器を取り換えるための配線用架台に関する。
【背景技術】
【０００２】
従来より、電気機器への電気の供給を制御するために制御盤が設置されている。この制御盤は、老朽化などの理由により、取り替えの必要が生じる。取り替えの際には、制御盤全体を新しく取り替える場合と、制御盤の内部に組み込まれている制御用機器を新しいものに取り替える場合とがある。制御盤全体を取り替える場合には、既設の制御盤の脇に新しい制御盤を設置して配線を繋ぎ替えたり、既設の制御盤を撤去して、新しい制御盤をそこに設置し、配線を繋ぎ替えることにより行われる。制御盤の内部の制御用機器を取り替える場合には、制御盤の内部から古い制御用機器を取り出し、新しい制御用機器を設置して、配線を繋ぎ替えることにより行われる。これらの取り替え作業は、配線の繋ぎかえを正確に行う必要があるので、時間がかかり面倒であった。そこで、特許文献１には、取替周期などが同一の機器同士を一括して取り付けた着脱可能な取付パネルを有する制御盤が記載されている。
【先行技術文献】
【特許文献】
【０００３】
【特許文献１】特開平６−３５１１１３号公報
【考案の概要】
【考案が解決しようとする課題】
【０００４】
ところで、制御盤の内部に組み込む制御用機器は改良が重ねられており、取り替え時には、同一機器であっても、形状や大きさが異なっている場合が多い。また、制御盤の内部に組み込む複数の制御用機器を組み合わせて基板に配置したユニットについても、大きさや配置が異なっている場合が多い。そのため、制御盤の内部の制御用機器を取り替える場合には、特に、配線の繋ぎ替えが複雑で、時間がかかり面倒であるという問題があった。よって、より作業時間を短縮すると共に、正確性を向上させることが望まれてきた。
【０００５】
本考案は、このような問題に基づきなされたものであり、制御用機器の取り替え作業の効率および正確性を向上させることができる配線用架台を提供することを目的とする。
【課題を解決するための手段】
【０００６】
本考案の配線用架台は、電気の供給を制御する制御用機器が配置される配置基板と、この配置基板に対して、制御用機器を配置する空間を空けて対面可能に配設され、貫通端子台が貫通して設けられた端子台パネルと、この端子台パネルを配置基板に対して配設する支持部材と、貫通端子台を識別するための識別表示とを備えたものである。
【０００７】
この配線用架台は、例えば、配置基板に制御用機器を配置し、制御用機器と貫通端子台の配置基板側とを識別表示に従い配線により接続して、制御盤の内部に配置される。貫通端子台の配置基板と反対側は、例えば、識別表示に従い、外部の電気機器または電源などと配線により接続される。
【考案の効果】
【０００８】
本考案の配線用架台によれば、端子台パネルを配置基板に対して制御用機器を配置する空間を空けて対面可能に配設するようにしたので、予め、制御用機器を配置基板に設置し、制御用機器と貫通端子台とを配線により接続しておくことができる。また、貫通端子台を識別するための識別表示を設けるようにしたので、制御用機器と貫通端子台とを識別表示に従い接続することにより、制御用機器の形状や大きさ、または配置などに関係なく、外部の電気機器や電源を配線により接続する端子位置を一定とすることができる。よって、制御盤の内部に制御用機器を設置する際には、識別表示に従い、決められた位置の貫通端子台に配線を接続すればよいので、作業時間を短縮することができると共に正確性を向上させることができる。従って、制御用機器の取り替え作業の効率および正確性を向上させることができる。
【０００９】
特に、端子台パネルの一端側を軸とし、他端側を回動可能とするようにすれば、配置基板に制御用機器を配置して配線を接続する際には、他端側を回動させて制御用機器が配置される空間を開放した状態とし、制御用機器を制御盤の内部に設置する際には、他端側を回動させて制御用機器が配置される空間を覆った状態とすることができる。よって、制御用機器の配置および配線の接続を容易に行うことができる。
【図面の簡単な説明】
【００１０】
【図１】本考案の一実施の形態に係る配線用架台の構成を表す正面図である。
【図２】図１に示した配線用架台の構成を表す平面図である。
【図３】図１に示した配線用架台の構成を表す側面図である。
【図４】図４に示した配線用架台の他の状態を表す側面図である。
【図５】本考案の一実施の形態に係る配線用架台の変形例を表す正面図である。
【図６】図５に示した配線用架台の構成を表す平面図である。
【図７】図５に示した配線用架台の構成を表す側面図である。
【考案を実施するための形態】
【００１１】
以下、本考案の実施の形態について、図面を参照して詳細に説明する。
【００１２】
図１から図４は、本考案の一実施の形態に係る配線用架台１０の構成を表すものであり、図１は正面図を表し、図２は平面図を表し、図３および図４は側面図を表している。この配線用架台１０は、例えば、電気機器への電気の供給を制御するための制御用機器１１１を制御盤の内部に配設し、配線を接続するためのものである。この配線用架台１０は、制御用機器１１１を配置する平板状の配置基板１１と、貫通端子台１２Ａが貫通して設けられた平板状の端子台パネル１２とを有している。なお、制御用機器１１１としては、例えば、ブレーカー、汎用コントローラ、ＰＬＣ、補助リレー、ＤＣ電源装置（パワーサプライ）、操作用変圧器、または、信号変換器が挙げられる。
【００１３】
配置基板１１には、例えば、図示しないが、制御用機器１１１を配設するための機器配設孔および配置基板１１を制御盤の内部などに配設するための基板配設孔が設けられている。配置基板１１には、また、端子台パネル１２を支持するための支持部材１３が配設されている。支持部材１３は、例えば、配置基板１１に対して垂直方向に伸長され、また、端子台パネル１２の一方向において対向するように一対設けられている。端子台パネル１２は、支持部材１３により、配置基板１１に対して、制御用機器１１１を配置する空間を空けて対面可能に配設されている。端子台パネル１２の一方向の両端部には、例えば、支持部材１３に固定するための固定部１２Ｂが垂直方向に折り曲げてそれぞれ設けられている。
【００１４】
固定部１２Ｂは、例えば、端子台パネル１２に沿った方向の一端側において、支持部材１３に対して回転可能に配設されている。これにより、端子台パネル１２は、一端側を軸として、その他端側が回動可能とされており、他端側を回動させて、図３に示したように、制御用機器１１１が配置される空間の少なくとも一部を覆った状態と、図４に示したように、制御用機器１１１が配置される空間を開放した状態とを変化させることができるようになっている。なお、一端側というのは、例えば、端子台パネル１２に沿って、一方向に対して垂直方向における一端側であり、他端側というのは、例えば、端子台パネル１２に沿って、一方向に対して垂直方向における他端側である。
【００１５】
固定部１２Ｂの端子台パネル１２に沿った方向の他端側には、例えば、支持部材１３に設けられた係止部１３Ａに係止するための切欠部１２Ｃが形成されている。切欠部１２Ｃは、例えば、係止部１３Ａを挿入する挿入部と、挿入部に対して交差する方向に延長された交差部とを有する例えばＬ字型に形成されており、交差部により安定して係止することができるようになっている。なお、固定部１２Ｂの一端側も、例えば、支持部材１３に対して、交差部の延長方向に合わせて移動させることができるように構成されている。また、係止部１３Ａをユリヤねじなどのねじにより構成するようにすれば、固定部１２Ｂの他端側を支持部材１３に対して着脱可能に固定することができるので好ましい。
【００１６】
端子台パネル１２の配置基板１１と反対側には、例えば、貫通端子台１２Ａを識別するための識別表示１４が貫通端子台１２Ａの近傍に設けられている。識別表示１４は、端子台パネル１２の配置基板１１の側に設けるようにしてもよい。また、配置基板１１には、制御用機器１１１を配置する領域以外の領域に他の貫通端子台１５を配設してもよい。例えば、電源用の端子等、目的に応じて端子を分けることにより、配線を容易に接続することができるからである。貫通端子台１５の近傍にも、識別表示１４が設けられる。
【００１７】
この配線用架台１０は、例えば、図４に示したように、端子台パネル１２の他端側を回動させ、制御用機器１１１を配置する空間を開放した状態として、配置基板１１に制御用機器１１１を配置し、識別表示１４に従い、貫通端子台１２Ａの配置基板１１の側に制御用機器１１１の配線を接続する。また、必要に応じて、貫通端子台１５の配線基板１１の側にも、配線を接続する。制御用機器１１１を配設し、配線を接続したら、例えば、図３に示したように、端子台パネル１２の他端側を回動させて制御用機器１１１の少なくとも一部を覆った状態とし、固定部材１２Ｂの他端側を係止部１３Ａに係止する。
【００１８】
制御用機器１１１を配設した配線用架台１０は、制御盤の内部に配設され、例えば、貫通端子台１２Ａ，１５の配置基板と反対側には、識別表示１４に従い、外部の電気機器または電源などが配線により接続される。
【００１９】
図５から図７は、本実施の形態に係る配線用架台１０の変形例を表すものであり、図５は正面図を表し、図６は平面図を表し、図７は側面図を表している。この配線用架台１０は、制御盤の内部などに配設する際に、制御盤の内部に既設されている取付レール１１２を利用するものである。例えば、支持部材１３には、取付レール１１２に取り付けるための一対の取付部材１６が設けられている。また、端子台パネル１２には、例えば、制御用機器１１１の表示を見るための窓１２Ｄを設けるようにしてもよい。更に、貫通端子台１５は、支持部材１３に対して配設するようにしてもよい。
【００２０】
このように本実施の形態によれば、端子台パネル１２を配置基板１１に対して制御用機器１１１を配置する空間を空けて対面可能に配設するようにしたので、予め、制御用機器１１１を配置基板１１に設置し、制御用機器１１１と貫通端子台１２Ａとを配線により接続しておくことができる。また、貫通端子台１２Ａを識別するための識別表示１４を設けるようにしたので、制御用機器１１１と貫通端子台１２Ａとを識別表示１４に従い接続することにより、制御用機器１１１の形状や大きさ、または配置などに関係なく、外部の電気機器や電源を配線により接続する端子位置を一定とすることができる。よって、制御盤の内部に制御用機器１１１を設置する際には、識別表示１４に従い、決められた位置の貫通端子台１２Ａに配線を接続すればよいので、作業時間を短縮することができると共に正確性を向上させることができる。従って、制御用機器１１１の取り替え作業の効率および正確性を向上させることができる。
【００２１】
特に、端子台パネル１２の一端側を軸とし、他端側を回動可能とするようにすれば、配置基板１１に制御用機器１１１を配置して配線を接続する際には、他端側を回動させて制御用機器１１１が配置される空間を開放した状態とし、制御用機器１１１を制御盤の内部に設置する際には、他端側を回動させて制御用機器１１１が配置される空間を覆った状態とすることができる。よって、制御用機器１１１の配置および配線の接続を容易に行うことができる。
【００２２】
以上、実施の形態を挙げて本考案を説明したが、本考案は上記実施の形態に限定されるものではなく、種々変形可能である。
【産業上の利用可能性】
【００２３】
制御用機器を配設する際に用いることができる。
【符号の説明】
【００２４】
１０…配線用架台、１１…配置基板、１２…端子台パネル、１２Ａ…貫通端子台、１２Ｂ…固定部、１２Ｃ…切欠部、１２Ｄ…窓、１３…支持部材、１３Ａ…係止部、１４…識別表示、１５…貫通端子台、１６…取付部材、１１１…制御用機器、１１２…取付レール。
【図１】
0003163581.tif 000003
【図２】
0003163581.tif 000004
【図３】
0003163581.tif 000005
【図４】
0003163581.tif 000006
【図５】
0003163581.tif 000007
【図６】
0003163581.tif 000008
【図７】
0003163581.tif 000009